【手続補正書】
【提出日】平成16年12月21日(2004.12.21)
【手続補正１】
【補正対象書類名】明細書
【補正対象項目名】特許請求の範囲
【補正方法】変更
【補正の内容】
【特許請求の範囲】
【請求項１】
原画像データに対し階調変換処理及び周波数処理を施す画像処理方法であって、
前記原画像データの画素値を前記階調変換処理で変更し第一の画像データを生成する工程と、
前記原画像データ又は前記第一の画像データから高周波成分を生成する工程と、
前記階調変換処理における前記画素値の変更の程度に基づき前記高周波成分の値を変更する工程と、
前記変更した高周波成分に基づき第二の画像データを生成する工程とを有することを特徴とする画像処理方法。
【請求項２】
前記階調変換処理は、階調変換曲線に基づいて前記原画像データの画素値を変更することを特徴とする請求項１に記載の画像処理方法。
【請求項３】
前記高周波成分の値を、前記階調変換曲線の傾きに関連した情報に基づいて変更することを特徴とする請求項２に記載の画像処理方法。
【請求項４】
前記高周波成分の値を、前記階調変換曲線の微分値に基づいて変更することを特徴とする請求項２又は３に記載の画像処理方法。
【請求項５】
前記高周波成分を、前記原画像データの平滑化画像データを生成し、該平滑化画像データを前記原画像データから減算することで生成することを特徴とする請求項１〜４のいずれか１項に記載の画像処理方法。
【請求項６】
前記高周波成分を、前記階調変換処理した画像データの平滑化画像データを生成し、該平滑化画像データを該階調変換処理した画像データから減算することで生成することを特徴とする請求項１に記載の画像処理方法。
【請求項７】
前記平滑化画像をモフォロジカルフィルタを用いて生成することを特徴とする請求項５又は６に記載の画像処理方法。
【請求項８】
前記第一の原画像データに前記変更した高周波成分を加算することで前記第二の画像データを生成することを特徴とする請求項１〜７のいずれか１項に記載の画像処理方法。
【請求項９】
原画像データのダイナミックレンジを変更する画像処理方法であって、
前記原画像データから高周波成分を生成する工程と、
前記原画像データを階調変換曲線で階調変換処理する工程と、
前記高周波成分の値を前記階調変換曲線の傾きに関連した値に基づいて変更する工程と、
該変更後の高周波成分を前記階調変換された原画像データに加算する工程とを有することを特徴とする画像処理方法。
【請求項１０】
原画像データのダイナミックレンジを変更する画像処理方法であって、
前記原画像データの画素値を階調変換処理で変更する工程と、
階調変換処理後の画像データから高周波成分を生成する工程と、
前記階調変換処理における前記画素値の変更の程度に基づき前記高周波成分の値を変更する工程と、
前記変更された高周波成分に基づき画像データを生成する工程とを有することを特徴とする画像処理方法。
【請求項１１】
原画像データのダイナミックレンジを変更する画像処理方法であって、
前記原画像データの画素値をｆ１（ｘ，ｙ）、階調変換関数をＦ１（）、階調変換率をｃ（ｘ，ｙ）、階調変換後の画像データの画素値をｆ０（ｘ，ｙ）、前記原画像データの高周波成分の値をｆh（ｘ，ｙ）、画像データ上の座標ｘ，ｙを用い、
ｆ０（ｘ，ｙ）＝Ｆ１（ｆ１（ｘ，ｙ））
ｃ（ｘ，ｙ）＝∂Ｆ１（ｆ１（ｘ，ｙ））／∂ｆ１（ｘ，ｙ）
なる関係を有し、
ｆｄ（ｘ，ｙ）＝ｆ０（ｘ，ｙ）＋（１−ｃ（ｘ，ｙ））×ｆh（ｘ，ｙ）
なる演算式で表されることを特徴とする画像処理方法。
【請求項１２】
原画像データのダイナミックレンジを変更する画像処理方法であって、
前記原画像データの画素値をｆ１（ｘ，ｙ）、階調変換関数をＦ１（）、階調変換率をｃ（ｘ，ｙ）、階調変換後の画像データの画素値をｆ０（ｘ，ｙ）、階調変換後の原画像データの高周波成分の値をｆh（ｘ，ｙ）、画像データ上の座標ｘ，ｙを用い、
ｆ０（ｘ，ｙ）＝Ｆ１（ｆ１（ｘ，ｙ））
ｃ（ｘ，ｙ）＝∂Ｆ１（ｆ１（ｘ，ｙ））／∂ｆ１（ｘ，ｙ）
なる関係を有し、
ｆｄ（ｘ，ｙ）＝ｆ０（ｘ，ｙ）＋（１／ｃ（ｘ，ｙ））×ｆh（ｘ，ｙ）
なる演算式で表されることを特徴とする画像処理方法。
【請求項１３】
階調変換曲線に基づいてダイナミックレンジを変更する場合において、高周波成分を変更するための画像処理方法であって、
原画像データから高周波成分を生成する工程と、
前記階調変換曲線の傾きに基づき前記高周波成分の値を変更する工程と、
前記値を変更した高周波成分に基づき画像データを生成する工程とを有することを特徴とする画像処理方法。
【請求項１４】
前記原画像データは前記階調変換曲線で階調変換処理された画像データであり、前記高周波成分は該階調変換処理された画像データから算出された高周波成分であることを特徴とする請求項１３に記載の画像処理方法。
【請求項１５】
前記原画像データは前記階調変換曲線で階調変換処理された画像データであり、前記高周波成分は該階調変換処理される前の画像データから算出された高周波成分であることを特徴とする請求項１３に記載の画像処理方法。
【請求項１６】
原画像データに対し階調変換処理及び周波数処理を施す画像処理装置であって、
前記原画像データの画素値を前記階調変換処理で変更し第一の画像データを生成する手段と、
前記原画像データ又は前記第一の画像データから高周波成分を生成する手段と、
前記階調変換処理における前記画素値の変更の程度に基づき前記高周波成分の値を変更する手段と、
前記変更した高周波成分に基づき第二の画像データを生成する手段とを備えることを特徴とする画像処理装置。
【請求項１７】
原画像データのダイナミックレンジを変更する画像処理装置であって、
前記原画像データから高周波成分を生成する手段と、
前記原画像データを階調変換曲線で階調変換処理する手段と、
前記高周波成分の値を前記階調変換曲線の傾きに関連した値に基づいて変更する手段と、
該変更後の高周波成分を前記階調変換された原画像データに加算する手段とを備えることを特徴とする画像処理装置。
【請求項１８】
原画像データのダイナミックレンジを変更する画像処理装置であって、
前記原画像データの画素値を階調変換処理で変更する手段と、
階調変換処理後の画像データから高周波成分を生成する手段と、
前記階調変換処理における前記画素値の変更の程度に基づき前記高周波成分の値を変更する手段と、
前記変更された高周波成分に基づき画像データを生成する手段とを備えることを特徴とする画像処理装置。
【請求項１９】
階調変換曲線に基づいてダイナミックレンジを変更する場合において、高周波成分を変更するための画像処理装置であって、
画像データから高周波成分を生成する手段と、
前記階調変換曲線の傾きに基づき前記高周波成分の値を変更する手段と、
前記値を変更した高周波成分を前記画像データに加算する手段とを備えることを特徴とする画像処理装置。
【請求項２０】
原画像データに対し階調変換処理及び周波数処理を施す画像処理方法を実行するためのプログラムを記憶したコンピュータ読み取り可能な記憶媒体であって、
前記原画像データの画素値を前記階調変換処理で変更し第一の画像データを生成する処理と、
前記原画像データ又は前記第一の画像データから高周波成分を生成する処理と、
前記階調変換処理における前記画素値の変更の程度に基づき前記高周波成分の値を変更する処理と、
前記変更した高周波成分に基づき第二の画像データを生成する処理とをコンピュータに実行させるプログラムを記憶したことを特徴とするコンピュータ読み取り可能な記憶媒体。
【請求項２１】
原画像データのダイナミックレンジを変更する画像処理方法を実行するためのプログラムを記憶したコンピュータ読み取り可能な記憶媒体であって、
原画像データから高周波成分を生成する処理と、
前記原画像データを階調変換曲線で階調変換処理する処理と、
前記高周波成分の値を前記階調変換曲線の傾きに関連した値に基づいて変更する処理と、
該変更後の高周波成分を前記階調変換された原画像データに加算する処理とをコンピュータに実行させるプログラムを記憶したことを特徴とするコンピュータ読み取り可能な記憶媒体。
【請求項２２】
原画像データのダイナミックレンジを変更する画像処理方法を実行するためのプログラムを記憶したコンピュータ読み取り可能な記憶媒体であって、
前記原画像データを階調変換曲線で階調変換処理する処理と、
階調変換処理後の画像データから高周波成分を生成する処理と、
前記階調変換曲線の傾きに基づき前記高周波成分の値を変更する処理と、
前記変更された高周波成分に基づき処理後の画像データを生成する処理とをコンピュータに実行させるプログラムを記憶したことを特徴とするコンピュータ読み取り可能な記憶媒体。
【請求項２３】
階調変換曲線に基づいてダイナミックレンジを変更する場合において、高周波成分を変更するための画像処理方法を実行するためのプログラムを記憶したコンピュータ読み取り可能な記憶媒体であって、
画像データから高周波成分を生成する処理と、
前記階調変換曲線の傾きに基づき前記高周波成分の値を変更する処理と、
前記値を変更した高周波成分を前記画像データに加算する処理とをコンピュータに実行させるプログラムを記憶したことを特徴とするコンピュータ読み取り可能な記憶媒体。
【請求項２４】
任意の画像データに対して、該画像データに基づいて得られる高周波成分を足し込むダイナミックレンジの変更処理を行なう画像処理装置であって、
上記足し込む高周波成分の値を、該ダイナミックレンジの変更の程度に基づいて変換する変換手段を備えることを特徴とする画像処理装置。
【請求項２５】
上記任意の画像データは、原画像に階調変換処理を施した画像データであることを特徴とする請求項２４記載の画像処理装置。
【請求項２６】
任意の画像データに対して、該画像データに基づいて得られる高周波成分を足し込むダイナミックレンジの変更処理を行なう画像処理方法であって、
上記足し込む高周波成分の値を、該ダイナミックレンジの変更の程度に基づいて変換する変換工程を有することを特徴とする画像処理方法。
【請求項２７】
任意の画像データに対して、該画像データに基づいて得られる高周波成分を足し込むダイナミックレンジの変更処理を行なうためのプログラムを記憶したコンピュータ読み取り可能な記憶媒体であって、
上記足し込む高周波成分の値を、該ダイナミックレンジの変更の程度に基づいて変換する変換処理をコンピュータに実行させるプログラムを記憶したことを特徴とするコンピュータ読み取り可能な記憶媒体。
【手続補正２】
【補正対象書類名】明細書
【補正対象項目名】００１９
【補正方法】変更
【補正の内容】
【００１９】
【課題を解決するための手段】
本発明による画像処理方法は、原画像データに対し階調変換処理及び周波数処理を施す画像処理方法であって、前記原画像データの画素値を前記階調変換処理で変更し第一の画像データを生成する工程と、前記原画像データ又は前記第一の画像データから高周波成分を生成する工程と、前記階調変換処理における前記画素値の変更の程度に基づき前記高周波成分の値を変更する工程と、前記変更した高周波成分に基づき第二の画像データを生成する工程とを有する点に特徴を有する。
本発明による別の画像処理方法は、原画像データのダイナミックレンジを変更する画像処理方法であって、前記原画像データから高周波成分を生成する工程と、前記原画像データを階調変換曲線で階調変換処理する工程と、前記高周波成分の値を前記階調変換曲線の傾きに関連した値に基づいて変更する工程と、該変更後の高周波成分を前記階調変換された原画像データに加算する工程とを有する点に特徴を有する。
本発明による別の画像処理方法は、原画像データのダイナミックレンジを変更する画像処理方法であって、前記原画像データの画素値を階調変換処理で変更する工程と、階調変換処理後の画像データから高周波成分を生成する工程と、前記階調変換処理における前記画素値の変更の程度に基づき前記高周波成分の値を変更する工程と、前記変更された高周波成分に基づき画像データを生成する工程とを有する点に特徴を有する。
本発明による別の画像処理方法は、原画像データのダイナミックレンジを変更する画像処理方法であって、前記原画像データの画素値をｆ１（ｘ，ｙ）、階調変換関数をＦ１（）、階調変換率をｃ（ｘ，ｙ）、階調変換後の画像データの画素値をｆ０（ｘ，ｙ）、前記原画像データの高周波成分の値をｆh（ｘ，ｙ）、画像データ上の座標ｘ，ｙを用い、
ｆ０（ｘ，ｙ）＝Ｆ１（ｆ１（ｘ，ｙ））
ｃ（ｘ，ｙ）＝∂Ｆ１（ｆ１（ｘ，ｙ））／∂ｆ１（ｘ，ｙ）
なる関係を有し、
ｆｄ（ｘ，ｙ）＝ｆ０（ｘ，ｙ）＋（１−ｃ（ｘ，ｙ））×ｆh（ｘ，ｙ）
なる演算式で表される点に特徴を有する。
本発明による別の画像処理方法は、原画像データのダイナミックレンジを変更する画像処理方法であって、前記原画像データの画素値をｆ１（ｘ，ｙ）、階調変換関数をＦ１（）、階調変換率をｃ（ｘ，ｙ）、階調変換後の画像データの画素値をｆ０（ｘ，ｙ）、階調変換後の原画像データの高周波成分の値をｆh（ｘ，ｙ）、画像データ上の座標ｘ，ｙを用い、
ｆ０（ｘ，ｙ）＝Ｆ１（ｆ１（ｘ，ｙ））
ｃ（ｘ，ｙ）＝∂Ｆ１（ｆ１（ｘ，ｙ））／∂ｆ１（ｘ，ｙ）
なる関係を有し、
ｆｄ（ｘ，ｙ）＝ｆ０（ｘ，ｙ）＋（１／ｃ（ｘ，ｙ））×ｆh（ｘ，ｙ）
なる演算式で表される点に特徴を有する。
本発明による別の画像処理方法は、階調変換曲線に基づいてダイナミックレンジを変更する場合において、高周波成分を変更するための画像処理方法であって、原画像データから高周波成分を生成する工程と、前記階調変換曲線の傾きに基づき前記高周波成分の値を変更する工程と、前記値を変更した高周波成分に基づき画像データを生成する工程とを有する点に特徴を有する。
本発明による別の画像処理方法は、任意の画像データに対して、該画像データに基づいて得られる高周波成分を足し込むダイナミックレンジの変更処理を行なう画像処理方法であって、上記足し込む高周波成分の値を、該ダイナミックレンジの変更の程度に基づいて変換する変換工程を有する点に特徴を有する。
【手続補正３】
【補正対象書類名】明細書
【補正対象項目名】００２０
【補正方法】変更
【補正の内容】
【００２０】
本発明による画像処理装置は、原画像データに対し階調変換処理及び周波数処理を施す画像処理装置であって、前記原画像データの画素値を前記階調変換処理で変更し第一の画像データを生成する手段と、前記原画像データ又は前記第一の画像データから高周波成分を生成する手段と、前記階調変換処理における前記画素値の変更の程度に基づき前記高周波成分の値を変更する手段と、前記変更した高周波成分に基づき第二の画像データを生成する手段とを備える点に特徴を有する。
本発明による別の画像処理装置は、原画像データのダイナミックレンジを変更する画像処理装置であって、前記原画像データから高周波成分を生成する手段と、前記原画像データを階調変換曲線で階調変換処理する手段と、前記高周波成分の値を前記階調変換曲線の傾きに関連した値に基づいて変更する手段と、該変更後の高周波成分を前記階調変換された原画像データに加算する手段とを備える点に特徴を有する。
本発明による別の画像処理装置は、原画像データのダイナミックレンジを変更する画像処理装置であって、前記原画像データの画素値を階調変換処理で変更する手段と、階調変換処理後の画像データから高周波成分を生成する手段と、前記階調変換処理における前記画素値の変更の程度に基づき前記高周波成分の値を変更する手段と、前記変更された高周波成分に基づき画像データを生成する手段とを備える点に特徴を有する。
本発明による別の画像処理装置は、階調変換曲線に基づいてダイナミックレンジを変更する場合において、高周波成分を変更するための画像処理装置であって、画像データから高周波成分を生成する手段と、前記階調変換曲線の傾きに基づき前記高周波成分の値を変更する手段と、前記値を変更した高周波成分を前記画像データに加算する手段とを備える点に特徴を有する。
本発明による別の画像処理装置は、任意の画像データに対して、該画像データに基づいて得られる高周波成分を足し込むダイナミックレンジの変更処理を行なう画像処理装置であって、上記足し込む高周波成分の値を、該ダイナミックレンジの変更の程度に基づいて変換する変換手段を備える点に特徴を有する。
【手続補正４】
【補正対象書類名】明細書
【補正対象項目名】００２１
【補正方法】変更
【補正の内容】
【００２１】
本発明によるコンピュータ読み取り可能な記憶媒体は、原画像データに対し階調変換処理及び周波数処理を施す画像処理方法を実行するためのプログラムを記憶したコンピュータ読み取り可能な記憶媒体であって、前記原画像データの画素値を前記階調変換処理で変更し第一の画像データを生成する処理と、前記原画像データ又は前記第一の画像データから高周波成分を生成する処理と、前記階調変換処理における前記画素値の変更の程度に基づき前記高周波成分の値を変更する処理と、前記変更した高周波成分に基づき第二の画像データを生成する処理とをコンピュータに実行させるプログラムを記憶した点に特徴を有する。
本発明による別のコンピュータ読み取り可能な記憶媒体は、原画像データのダイナミックレンジを変更する画像処理方法を実行するためのプログラムを記憶したコンピュータ読み取り可能な記憶媒体であって、原画像データから高周波成分を生成する処理と、前記原画像データを階調変換曲線で階調変換処理する処理と、前記高周波成分の値を前記階調変換曲線の傾きに関連した値に基づいて変更する処理と、該変更後の高周波成分を前記階調変換された原画像データに加算する処理とをコンピュータに実行させるプログラムを記憶した点に特徴を有する。
本発明による別のコンピュータ読み取り可能な記憶媒体は、原画像データのダイナミックレンジを変更する画像処理方法を実行するためのプログラムを記憶したコンピュータ読み取り可能な記憶媒体であって、前記原画像データを階調変換曲線で階調変換処理する処理と、階調変換処理後の画像データから高周波成分を生成する処理と、前記階調変換曲線の傾きに基づき前記高周波成分の値を変更する処理と、前記変更された高周波成分に基づき処理後の画像データを生成する処理とをコンピュータに実行させるプログラムを記憶した点に特徴を有する。
本発明による別のコンピュータ読み取り可能な記憶媒体は、階調変換曲線に基づいてダイナミックレンジを変更する場合において、高周波成分を変更するための画像処理方法を実行するためのプログラムを記憶したコンピュータ読み取り可能な記憶媒体であって、画像データから高周波成分を生成する処理と、前記階調変換曲線の傾きに基づき前記高周波成分の値を変更する処理と、前記値を変更した高周波成分を前記画像データに加算する処理とをコンピュータに実行させるプログラムを記憶した点に特徴を有する。
本発明による別のコンピュータ読み取り可能な記憶媒体は、任意の画像データに対して、該画像データに基づいて得られる高周波成分を足し込むダイナミックレンジの変更処理を行なうためのプログラムを記憶したコンピュータ読み取り可能な記憶媒体であって、上記足し込む高周波成分の値を、該ダイナミックレンジの変更の程度に基づいて変換する変換処理をコンピュータに実行させるプログラムを記憶した点に特徴を有する。
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】削除
【補正の内容】
【手続補正１５】
【補正対象書類名】明細書
【補正対象項目名】００９５
【補正方法】変更
【補正の内容】
【００９５】
【発明の効果】
以上説明したように、本発明によれば、原画像データに対してどのような階調変換処理を行なっても、階調変換処理においても高周波成分の値を一定に保つことができる。
【手続補正１６】
【補正対象書類名】明細書
【補正対象項目名】００９６
【補正方法】削除
【補正の内容】
【手続補正１７】
【補正対象書類名】明細書
【補正対象項目名】００９７
【補正方法】削除
【補正の内容】
【手続補正１８】
【補正対象書類名】明細書
【補正対象項目名】００９８
【補正方法】削除
【補正の内容】
【手続補正１９】
【補正対象書類名】明細書
【補正対象項目名】００９９
【補正方法】削除
【補正の内容】
【手続補正２０】
【補正対象書類名】明細書
【補正対象項目名】０１００
【補正方法】削除
【補正の内容】
【手続補正２１】
【補正対象書類名】明細書
【補正対象項目名】０１０１
【補正方法】削除
【補正の内容】
【手続補正２２】
【補正対象書類名】明細書
【補正対象項目名】０１０２
【補正方法】削除
【補正の内容】
【手続補正２３】
【補正対象書類名】明細書
【補正対象項目名】０１０３
【補正方法】削除
【補正の内容】
【手続補正２４】
【補正対象書類名】明細書
【補正対象項目名】０１０４
【補正方法】削除
【補正の内容】
【手続補正２５】
【補正対象書類名】明細書
【補正対象項目名】０１０５
【補正方法】削除
【補正の内容】
【手続補正２６】
【補正対象書類名】明細書
【補正対象項目名】０１０６
【補正方法】削除
【補正の内容】
【手続補正２７】
【補正対象書類名】明細書
【補正対象項目名】０１０７
【補正方法】削除
【補正の内容】
【手続補正２８】
【補正対象書類名】明細書
【補正対象項目名】０１０８
【補正方法】削除
【補正の内容】
【手続補正２９】
【補正対象書類名】明細書
【補正対象項目名】０１０９
【補正方法】削除
【補正の内容】
【手続補正３０】
【補正対象書類名】明細書
【補正対象項目名】０１１０
【補正方法】削除
【補正の内容】
【手続補正３１】
【補正対象書類名】明細書
【補正対象項目名】０１１１
【補正方法】削除
【補正の内容】
【手続補正３２】
【補正対象書類名】明細書
【補正対象項目名】０１１２
【補正方法】削除
【補正の内容】
【手続補正３３】
【補正対象書類名】明細書
【補正対象項目名】０１１３
【補正方法】削除
【補正の内容】
【手続補正３４】
【補正対象書類名】明細書
【補正対象項目名】０１１４
【補正方法】削除
【補正の内容】
【手続補正３５】
【補正対象書類名】明細書
【補正対象項目名】０１１５
【補正方法】削除
【補正の内容】